(57)【特許請求の範囲】
【請求項１】
洗濯機本体と、前記洗濯機本体に設けられた開口部と、前記開口部を開閉自在に設けたドアと、前記ドアに設けられ前記ドアを開くために引くように構成されたレバーと、前記レバーと連動して回転するフックと、前記フックと一体に設けられ前記レバーにより回転する押し板部とを有する洗濯機のドアスイッチ装置であって、外郭と、前記ドアの閉成により前記フックが回転しながら前記外郭に設けられたフック挿入穴に挿入されて係合することで摺動移動する摺動部材と、前記ドアを閉成したとき、前記フックを前記外郭に係止するとともに前記摺動部材を固定することで前記フックの回転を抑えて前記ドアの開放を阻止する保持手段と、前記保持手段を動作させる駆動源と、前記外郭に設けられ前記フックと一体に設けられた押し板部が挿入されるフタ開検知用穴と、前記フタ開検知用穴の内部でかつ前記摺動部材の近傍に設けられドア開閉検知をするスイッチ手段とを備え、前記ドアを閉成したとき、前記押し板部は、前記フックが前記フック挿入穴に回転しながら挿入されるのに伴って、前記フタ開検知用穴に回転しながら挿入されることにより前記スイッチ手段に含まれるボタンを前記回転方向に動作させて前記スイッチ手段をオンするようにし、前記押し板部の前記スイッチ手段を押す部分を、前記押し板部が前記フタ開検知用穴に挿入される方向と略平行に平面状にした洗濯機のドアスイッチ装置。
【発明の詳細な説明】
【技術分野】
【０００１】
本発明はドアを開閉自在に設けた洗濯機のドアスイッチ装置に関するものである。
【背景技術】
【０００２】
従来のドラム式洗濯機のドアスイッチ装置は図６、図７、図８、図９に示すように構成していた。以下その構成について説明する。
【０００３】
図６、図７に示すようにドア１は機器本体２の開口部を開閉自在に設け、フック３をドア開閉レバー４を介して矢印Ａの方向に移動自在に装着し、このフック３を機器本体２に設けたドアスイッチ５にてドア１を閉状態にロックできるようにしている。
【０００４】
ドアスイッチ５は図８、図９に示すように構成しており、摺動部材６はばね７により左右方向に移動自在としており、ドア１の閉成によりドア１のフック３が係合することで摺動移動する。この摺動部材６の移動により、操作部材８を回転させて、スイッチ手段９はソレノイド（駆動手段）１０およびモータ１１などの負荷に接続している。モータ１１はドラム１２を回転させる。ソレノイド１０に保持手段１３を連結し、保持手段１３の一部が摺動部材６の一部と勘合し、摺動部材６が係止されてドア１を閉状態にロックするようにしている。
【０００５】
係止手段１４は保持手段１３の位置を係止してドア１をロック状態またはロック解除状態に保持するもので、図７に示すようなハート形カム１５とばね１６とで構成し、ソレノイド１０の通電を遮断してもハート形カム１５の働きで保持手段１３をその位置に係止してロックし、再度、ソレノイド１０に通電すると保持手段１３の係止位置を変更して、保持手段１３の一部と摺動部材６の一部とが勘合が外れてロックがかからないように構成している。
【０００６】
マイクロスイッチ（位置検出手段）１７はフック３を外れない状態に保持する保持手段１３の保持状態を検知し、保持されていることを出力するものである。
【先行技術文献】
【特許文献】
【０００７】
【特許文献１】特開平１０−２７２２９３号公報
【発明の概要】
【発明が解決しようとする課題】
【０００８】
しかしながら、従来技術のドアスイッチ装置の構造では、洗濯機が運転中即ちドラム１２が回転中はドア１をロックするような制御をおこなっているが、ドラム式洗濯機が運転中にユーザーが誤ってドア１を開こうとして、レバー４を引っ張り、フック３を矢印Ａの方向に回転移動させた時、フック３はドアスイッチ５の外郭部と摺動部材６に挟み込まれて移動できないように固定されているため、一定の力以上にレバー４を引っ張り、フック３に応力を加えた場合、フック３の中央部で破損してフック３先端部をドアスイッチ５の外郭部と摺動部材６に挟み込まれたまま、ドア１が開いてしまう場合があった。この場合摺動部材６を介して操作部材８を回転させ、スイッチ手段９が通電状態のままの状態とな
っているため、ドラム１２を回転させるモータ１１は運転状態となるため、ドア１が開いているのにドラム１２回転するという危険な状態が発生する課題を有していた。
【０００９】
本発明は、前記従来の課題を解決するもので、洗濯機が運転中にユーザーが誤ってドアを開こうとして、一定の力以上にレバーを引っ張り、フックに応力を加えて場合、フックの中央部で破損してフック３先端をドアスイッチの外郭部と摺動部材に挟み込まれたままでドアが開いてしまう場合でも、ドラムの回転を停止させ、安全性を確保することを目的とする。
【課題を解決するための手段】
【００１０】
上記目的を達成するために、本発明の洗濯機のドアスイッチ装置は、洗濯機本体と、前記洗濯機本体に設けられた開口部と、前記開口部を開閉自在に設けたドアと、前記ドアに設けられ前記ドアを開くために引くように構成されたレバーと、前記レバーと連動して回転するフックと、前記フックと一体に設けられ前記レバーにより回転する押し板部とを有する洗濯機のドアスイッチ装置であって、外郭と、前記ドアの閉成により前記フックが回転しながら前記外郭に設けられたフック挿入穴に挿入されて係合することで摺動移動する摺動部材と、前記ドアを閉成したとき、前記フックを前記外郭に係止するとともに前記摺動部材を固定することで前記フックの回転を抑えて前記ドアの開放を阻止する保持手段と、前記保持手段を動作させる駆動源と、前記外郭に設けられ前記フックと一体に設けられた押し板部が挿入されるフタ開検知用穴と、前記フタ開検知用穴の内部でかつ前記摺動部材の近傍に設けられドア開閉検知をするスイッチ手段とを備え、前記ドアを閉成したとき、前記押し板部は、前記フックが前記フック挿入穴に回転しながら挿入されるのに伴って、前記フタ開検知用穴に回転しながら挿入されることにより前記スイッチ手段に含まれるボタンを前記回転方向に動作させて前記スイッチ手段をオンするようにし、前記押し板部の前記スイッチ手段を押す部分を、前記押し板部が前記フタ開検知用穴に挿入される方向と略平行に平面状にしたものである。
【００１１】
これによって、洗濯機が運転中にユーザーが誤ってドアを開こうとして、一定の力以上にレバーを引っ張り、フックに応力を加えて場合、フックの中央部で破損してフック先端をドアスイッチの外郭部と摺動部材に挟み込まれたまま、ドアが開いてしまう場合でも、ドア開閉を検知するスイッチ手段を押す押し板部はドアと一体でスイッチ手段から外れるため、スイッチ手段がドラムの回転を停止させ、安全性を確保することができる。
【００１３】
これによって、洗濯機が運転中にユーザーが誤ってドアを開こうとして、一定の力以上にレバーを引っ張り、フックに応力を加えて場合、フックの中央部で破損してフック先端をドアスイッチの外郭部と摺動部材に挟み込まれたまま、ドアが開いてしまう場合でも、ドア開閉を検知するスイッチ手段を押す押し板部はドアと一体でスイッチ手段から容易に外れるため、スイッチ手段がドラムの回転を速やかに停止させ、安全性を確保することができる。
【発明の効果】
【００１４】
本発明の洗濯機のドアスイッチ装置は、洗濯機が運転中にユーザーが誤ってドアを開こうとして、一定の力以上にレバーを引っ張り、フックに応力を加えて場合、フックの中央部で破損してフック先端をドアスイッチの外郭と摺動部材に挟み込まれたまま、ドアが開いてしまう場合でも、ドア開閉を検知するスイッチ手段を押す押し板部はドアと一体でスイッチ手段から容易に外れるため、スイッチ手段がドラムの回転を速やかに停止させることができ、安全性を確保することができる。
【図面の簡単な説明】
【００１５】
【図１】本発明の実施の形態におけるドアスイッチ装置を搭載した洗濯機の斜視図
【図２】本発明の実施の形態におけるドアスイッチ装置と洗濯機のフタの構成図
【図３】（ａ）本発明の実施の形態におけるフタのフック部がドアスイッチ装置に挿入された時の断面図（ｂ）同フタの押し板部がドアスイッチ装置に挿入された時の断面図
【図４】本発明の実施の形態におけるドアスイッチ装置の内部構成斜視図
【図５】本発明の実施の形態におけるドアスイッチ装置の摺動部材を取り除いた時の内部構成平面図
【図６】従来のドアスイッチ装置を搭載した洗濯機の断面図
【図７】従来のドアスイッチ装置と洗濯機のフタの構成図
【図８】（ａ）従来のドアスイッチ装置の内部構成平面図（ｂ）従来のドアスイッチ装置の縦断面図
【図９】従来のドアスイッチ装置の内部詳細図
【発明を実施するための形態】
【００１６】
第１の発明は、洗濯機本体と、前記洗濯機本体に設けられた開口部と、前記開口部を開閉自在に設けたドアと、前記ドアに設けられ前記ドアを開くために引くように構成されたレバーと、前記レバーと連動して回転するフックと、前記フックと一体に設けられ前記レバーにより回転する押し板部とを有する洗濯機のドアスイッチ装置であって、外郭と、前記ドアの閉成により前記フックが回転しながら前記外郭に設けられたフック挿入穴に挿入されて係合することで摺動移動する摺動部材と、前記ドアを閉成したとき、前記フックを前記外郭に係止するとともに前記摺動部材を固定することで前記フックの回転を抑えて前記ドアの開放を阻止する保持手段と、前記保持手段を動作させる駆動源と、前記外郭に設けられ前記フックと一体に設けられた押し板部が挿入されるフタ開検知用穴と、前記フタ開検知用穴の内部でかつ前記摺動部材の近傍に設けられドア開閉検知をするスイッチ手段とを備え、前記ドアを閉成したとき、前記押し板部は、前記フックが前記フック挿入穴に回転しながら挿入されるのに伴って、前記フタ開検知用穴に回転しながら挿入されることにより前記スイッチ手段に含まれるボタンを前記回転方向に動作させて前記スイッチ手段をオンするようにし、前記押し板部の前記スイッチ手段を押す部分を、前記押し板部が前記フタ開検知用穴に挿入される方向と略平行に平面状にした洗濯機のドアスイッチ装置としたことにより、洗濯機が運転中にユーザーが誤ってドアを開こうとして、一定の力以上
にレバーを引っ張り、フックに応力を加えて場合、フックの中央部で破損してフック先端をドアスイッチの外郭部と摺動部材に挟み込まれたまま、ドアが開いてしまう場合でも、ドア開閉を検知するスイッチ手段を押す押し板部はドアと一体でスイッチ手段に干渉することなく容易に外れるため、スイッチ手段がドラムの回転を速やかに停止させ、安全性を確保することができる。
【００１８】
以上、本発明の実施の形態について、図面を参照しながら説明する。なお、この実施の形態によって本発明が限定されるものではない。
【００１９】
（実施の形態１）
図１は本発明の第１の実施の形態におけるドアスイッチ装置を搭載した洗濯機のフタを開いた斜視図、図２はドアスイッチ装置と洗濯機のフタの構成図、図３はフタのフック部および押し板部がドアスイッチ装置に挿入された時の断面図、図４はドアスイッチ装置の内部構成斜視図、図５はドアスイッチ装置の摺動部材を取り除いた時の内部構成平面図である。
【００２０】
図１において洗濯機のフタ（ドア）１にはフック３が設けられており、機器本体２に収納されたドアスイッチ装置５のフック挿入穴２１にフタ１を閉めた時、収まるように設定されている。
【００２１】
図２においてフタ１にはフック３を回転させるためのレバー４が設けられている。フック３と一体でレバー４により回転する押し板部２２が設けられている。ドアスイッチ装置５にはフック３が挿入されるフック挿入穴２１とフタ開検知用穴２３を有している。
【００２２】
図３においては摺動部材６のフックが挿入される部分は箱状に形成されており、フタ１を閉めると、フック３がドアスイッチ装置５のフック挿入穴２１に挿入され、摺動部材６は奥方向（図３（ａ）の右方向）に可動する。この動きによってフック３はドアスイッチ装置５の外郭（図３（ａ）の符号５の引き出し線あたり）に係止されるとともに箱型の摺動部材６がフック３を（図３（ａ）の）左方向から右方向に力を加えて抑える。また、フック３と一体に設けられた押し板部２２がドアスイッチ装置５のフタ開検知用穴２３に挿入された時、フタの開閉を検知するためのボタン２５は奥方向（図３（ｂ）の右方向）に可動する。また、押し板部２２のボタンとの当接面２２ａは平面で構成されている。
【００２３】
図４においてはフック３にて可動する摺動部材６であり、スプリングＡ２４にてＣ方向に反力が与えられており、フタ１を開くためレバー４を引き、フック３によりＣ方向に摺動部材６を移動させることができる。フタ１を閉めると、ボタン２５は押し板部２２により押されるとスプリングＢ２６を介してスイッチＡ２７を押し、スイッチＡ２７はＯＮ状態となる。フタ１を開いてフック３と一体でも設けた押し板部２２がボタン２５から離れるとスイッチＡ２７はＯＦＦ状態となる。フタ１にロックを掛ける時はソレノイド１０に通電し、保持手段１３を図５における横方向に移動させ、連結機構部品２８により図５における縦方向に変換し、縦方向に移動させる。
【００２４】
図５は摺動部材６を取り除いた図であるが、連結機構部品２８の先端には突起部３０を有しており、突起部３０が移動することにより摺動部材６を固定したり、解除したりしてロックを掛けたり、ロックを解除することができる。保持手段１３がソレノイド１０により移動するとスプリングＣ２９を介して回転レバー３５を回転させて、スイッチＢ３１を押すことにより、ロック状態ではＯＮ、解除状態ではＯＦＦになることによりロック状態か解除状態かを検知することができる。スイッチＡ２７とスイッチＢ３１にリード線３２、３３に接続されており、機器本体２にある制御装置（図示せず）に開閉信号を送ることができる。
【００２５】
以上のように構成されたドアスイッチ装置について以下その動作、作用を説明する。
【００２６】
フタ１を開くためレバー４を引きフック３を回転させるとドアスイッチ装置５のフック挿入穴２１に収まっているフック３の先端の可動により摺動部材６を摺動させることによりフタ１を開くことができる。フタ１を閉める時はフック３が付勢力を有しているため、フタ１を押して閉成することによりドアスイッチ装置５のフック挿入穴２１にフック３の先端部が挿入し、摺動部材６を摺動させることにより、フタ１を閉成状態に保持することができる。
【００２７】
フック３の動きと連動してフタ１を閉めたときはフック３の押し板部２２がドアスイッチ装置５のフタ開検知用穴２３に挿入され、フタ１の開閉を検知するためのボタン２５は奥方向に可動する。ボタン２５は押し板部２２の回転方向と同一方向に動作行程を設定されている。ボタン２５は押し板部２２により押されるとスプリングＢ２６を介してスイッチＡ２７を押し、スイッチＡ２７はＯＮ状態となる。この状態によりフタが閉まっていると判断する。
【００２８】
フタ１を開いた時、レバー４と連動してフック３が回転し、押し板部２２がフタ開検知用穴２３から離れるため、ボタン２５がスプリングＢ２６により元に戻ってスイッチＡ２７はＯＦＦ状態となる。この状態によりフタ１が開いていると判断できる。また、押し板部２２のボタンとの当接面２２ａは平面で構成されている。
【００２９】
フック３にて可動する摺動部材６はスプリングＡ２４にてＣ方向に反力が与えられている。フタ１を開くためレバー４を引くと、フック３によりＣ方向に摺動部材６を移動させることができる。洗濯を開始するため、フタ１を閉めロックを掛ける時はソレノイド１０に通電し、保持手段１３を横方向に移動させ、連結機構部品２８により縦方向に変換し、縦方向に移動させる。連結機構部品２８の先端には突起部３０を有しており、突起部３０が移動することにより突起部３０が摺動部材６に嵌って固定したり、突起部３０が摺動部材６から外れて解除したりして、ロックを掛けたり、ロックを解除することができる。
【００３０】
保持手段１３がソレノイド１０により横方向に移動するとスプリングＣ２９を介して回転レバー３０を回転させて、スイッチＢ３１を押すことにより、ロック状態ではＯＮ、解除状態ではＯＦＦになることによりロック状態か解除状態かを検知することができる。スイッチＡ２７とスイッチＢ３１にリード線３２、３３に接続されており、機器本体２にある制御装置に開閉信号を送ることができる。特に、スイッチＡ２７がＯＦＦになっている状態では、フタ１が開いている状態にあると判断し、制御装置はドラムの回転を速やかに停止させる。
【００３１】
以上のように、本実施の形態において、外郭と、ドアの閉成により前記ドアのフックが係合することで摺動移動する摺動部材と、前記ドアを閉成したとき、前記フックを前記外郭に係止するとともに前記摺動部材で前記フックを抑えて前記ドアの開放を阻止する保持手段と、前記保持手段を動作させる駆動源と、前記摺動部材の近傍に設けたドア開閉検知をするスイッチ手段と、前記ドアを閉成したとき、前記フックと一体で設けた押し板部により前記スイッチ手段をオンするようにしたことにより、ドラム式洗濯機が運転中にユーザーが誤ってドアを開こうとして、一定の力以上にレバーを引っ張り、フックに応力を加えて場合、フックの中央部で破損してフック先端をドアスイッチの外郭部と摺動部材に挟み込まれたまま、ドアが開いてしまう場合でも、ドア開閉を検知するスイッチ手段を押す押し板部はドアと一体でスイッチ手段から外れるため、スイッチ手段がドラムの回転を停止させ、安全性を確保することができる。
【００３２】
本実施の形態において、前記押し板部の前記スイッチ手段を押す部分を平面状にすることにより、ドラム式洗濯機が運転中にユーザーが誤ってドアを開こうとして、一定の力以上にレバーを引っ張り、フックに応力を加えて場合、フックの中央部で破損してフック先端をドアスイッチの外郭部と摺動部材に挟み込まれたまま、ドアが開いてしまう場合でも、ドア開閉を検知するスイッチ手段を押す押し板部はドアと一体でスイッチ手段から容易に外れるため、スイッチ手段がドラムの回転を速やかに停止させ、安全性を確保することができる。
【００３３】
また、スイッチ手段は押し板部の回転方向と同一方向に動作行程を設定することにより、ドラム式洗濯機が運転中にユーザーが誤ってドアを開こうとして、一定の力以上にレバーを引っ張り、フックに応力を加えて場合、フックの中央部で破損してフック先端をドアスイッチの外郭部と摺動部材に挟み込まれたまま、ドアが開いてしまう場合でも、ドア開閉を検知するスイッチ手段を押す押し板部はドアと一体でスイッチ手段から容易に外れるため、スイッチ手段がドラムの回転を速やかに停止させ、安全性を確保することができる。
【産業上の利用可能性】
【００３４】
以上のように、本発明にかかわる洗濯機のドアスイッチ装置は、運転中にユーザーが誤ってドアを開こうとして、一定の力以上にレバーを引っ張り、フックに応力を加えて場合、フックの中央部で破損してフック先端をドアスイッチの外郭部と摺動部材に挟み込まれたまま、ドアが開いてしまう場合でも、ドア開閉を検知するスイッチ手段を押す押し板部はドアと一体でスイッチ手段から外れるため、スイッチ手段がドラムの回転を停止させ、安全性を確保することができるので、洗濯機や食器洗い乾燥機等の用途にも適用できる。
【符号の説明】
【００３５】
１    ドア（フタ）
３    フック
４    レバー
５    ドアスイッチ装置
６    摺動部材
１０  ソレノイド（駆動源）
１３  保持手段
２１  フック挿入穴
２２  押し板部
２２ａ  当接面（押す部分）
２３  フタ開検知用穴
２５  ボタン（スイッチ手段）
２７  スイッチＡ（スイッチ手段）
【図１】
0005816783.tif 000002
【図２】
0005816783.tif 000003
【図３】
0005816783.tif 000004
【図４】
0005816783.tif 000005
【図５】
0005816783.tif 000006
【図６】
0005816783.tif 000007
【図７】
0005816783.tif 000008
【図８】
0005816783.tif 000009
【図９】
0005816783.tif 000010